(57)【要約】      （修正有）【課題】複数の羽根部に重力や遠心力と言った外力が作用しても羽根部の変形を抑制し、羽根部の強度や送風量の低下を軽減する。【解決手段】天井に吊り下げられるモータ部３と、前記モータ部の外周部分に固定された複数の羽根部４ａ、４ｂ、４ｃと、隣り合う前記羽根部を連結するように配置された複数の保持体６ａ、６ｂ、６ｃとを設け、前記保持体は前記羽根部の回転軸と前記羽根部とが成す角度を保持する。【選択図】図２
2019143560.tif 000002
【特許請求の範囲】
【請求項１】
天井に吊り下げられるモータ部と、
前記モータ部の外周部分に固定された複数の羽根部と、
隣り合う前記羽根部を連結するように配置された複数の保持体とを設け、
前記保持体は、前記羽根部の回転軸と前記羽根部とが成す角度を保持することを特徴とする天井扇風機。
【請求項２】
前記保持体は、一方側の端部が、隣り合う前記羽根部において、回転方向における上流側の前記羽根部の保持体固定部に固定され、他方側の端部が、隣り合う前記羽根部において、回転方向における下流側の前記羽根部の保持体固定部に固定され、
前記羽根部は、回転方向における前方側が、回転方向における後方側より上方に配置され、
前記保持体固定部は、前記羽根部の上面に配置されたことを特徴とする請求項１に記載の天井扇風機。
【請求項３】
前記保持体固定部は、前記羽根部の根元から先端に向かって３/５から４/５の領域に配置されたことを特徴とする請求項２に記載の天井扇風機。
【請求項４】
前記保持体固定部は、前記羽根部の回転方向における前記羽根部の前方側寄りに配置されたことを特徴とする請求項２または３に記載の天井扇風機。
【発明の詳細な説明】
【技術分野】
【０００１】
本発明は、天井から吊り下げられる天井扇風機に関する。
【背景技術】
【０００２】
従来の天井扇風機においては、すなわち、天井に係合可能な連結部と、この連結部の下部に備えたモータ部と、このモータ部の周縁に回転自在に設けた支持部と、この支持部に着脱可能に設けた複数の金属製の羽根部とから構成し、この羽根部は、根元部が支持部に固定され、支持部が回転することにより空気を送風する翼部を備えた構成となっていた。
【先行技術文献】
【特許文献】
【０００３】
【特許文献１】特開２０１５−６３９８２号公報
【発明の概要】
【発明が解決しようとする課題】
【０００４】
このような従来の天井扇風機の羽根部の取り付けにおいては、支持部に羽根部の根元部のみが固定され、羽根部の根元部から先端部までの領域においては固定手段を具備しない構成となっていた。これにより、羽根部に作用する重力や遠心力の影響により羽根部の根元部から先端部までが変形し、送風量が低下するという課題を有していた。
【０００５】
本発明は上記課題を解決するもので、羽根部に重力や遠心力と言った外力が作用しても羽根部の変形を抑制する天井扇風機を提供することを目的とする。
【課題を解決するための手段】
【０００６】
そして、この目的を解決するために、本発明に係る天井扇風機は、天井に吊り下げられるモータ部と、前記モータ部の外周部分に固定された複数の羽根部と、隣り合う前記羽根部を連結するように配置された複数の保持体とを設け、前記保持体は、前記羽根部の回転軸と前記羽根部とが成す角度を保持することを特徴としたものであり、これにより所期の目的を達成するものである。
【発明の効果】
【０００７】
本発明によれば、羽根部に重力や遠心力と言った外力が作用しても、羽根部の変形を抑制することができるため、羽根部の送風量の低下を軽減することができる。
【図面の簡単な説明】
【０００８】
【図１】本発明に係る天井扇風機の側面図。
【図２】同天井扇風機の斜視図。
【発明を実施するための形態】
【０００９】
以下、本発明の実施の形態について図面を参照しながら説明する。なお、以下の実施の形態は、本発明を具体化した一例であって、本発明の技術的範囲を限定するものではない。また、全図面を通して、同一の部位については同一の符号を付して二度目以降の説明を省略している。
【００１０】
（実施の形態１）
本発明に係る天井扇風機１の側面図を図１に示す。図２には、本発明に係る天井扇風機１の斜視図を示す。
【００１１】
図１、図２に示すように、天井扇風機１は、連結部２と、モータ部３と、３枚の羽根部である第１の羽根部４ａと、第２の羽根部４ｂと、第３の羽根部４ｃとを備えている。
【００１２】
連結部２は、一端を天井５から吊り下げられ、他端にモータ部３が接続されている。連結部２は、中空円筒形の棒状であり、内部にはモータ部３に電力を供給する電力線（図示せず）や、モータ部３を制御するための信号を送受信する制御線（図示せず）等が挿入されている。
【００１３】
モータ部３は、連結部２によって吊り下げられ、連結部２内の電力線から電力を供給されることで、モータ部３の支持部３ａが回転駆動する。
【００１４】
第１の羽根部４ａと、第２の羽根部４ｂと、第３の羽根部４ｃとは、モータ部３の支持部３ａに接続され、支持部３ａの回転によって回転する。これによって、連結部２の軸方向、言い換えると鉛直下方に向けて送風する。第１の羽根部４ａと第２の羽根部４ｂと第３の羽根部４ｃとは、取付け時、送風に適した角度に傾斜するように傾斜形状を有している。具体的には、本発明の天井扇風機１の回転方向は下方から見て反時計回りであるため、第１の羽根部４ａは、第１の羽根部４ａの短手方向において、回転方向に対して前方側の端縁よりも後方側の端縁が低くなる傾斜形状となっている。第２の羽根部４ｂ、第３の羽根部４ｃも同様である。ここで、モータ部３の支持部３ａが回転することにより、第１の羽根部４ａと第２の羽根部４ｂと第３の羽根部４ｃとが回転し、空気が羽根部４から下方へ送風される。なお、第１の羽根部４ａの支持部３ａ回転方向における隣り合う下流側には、第２の羽根部４ｂが配置されている。第２の羽根部４ｂの支持部３ａ回転方向における隣り合う下流側には、第３の羽根部４ｃが配置されている。同様に、第３の羽根部４ｃの支持部３ａ回転方向における隣り合う下流側には、第１の羽根部４ａが配置されている。
【００１５】
本実施形態における特徴は、隣り合う羽根部を連結した構造にある。具体的には、図２に示すように、隣り合う羽根部である第１の羽根部４ａと第２の羽根部４ｂ、第２の羽根部４ｂと第３の羽根部４ｃ、第３の羽根部４ｃと第１の羽根部４ａをそれぞれ連結するように配置された３本の保持体を設けている。３本の保持体である第１の保持体６ａと、第２の保持体６ｂと、第３の保持体６ｃとは、第１の羽根部４ａの回転軸と第１の羽根部４ａとが成す角度と、第２の羽根部４ｂの回転軸と第２の羽根部４ｂとが成す角度と、第３の羽根部４ｃの回転軸と第３の羽根部４ｃとが成す角度とを保持することとなる。
【００１６】
これにより、複数の羽根部である第１の羽根部４ａと、第２の羽根部４ｂと、第３の羽根部４ｃとに重力や遠心力と言った外力が作用しても、複数の羽根部の変形を抑制することができ、複数の羽根部の強度や送風量の低下を軽減することができる。
【００１７】
複数の保持体は、それぞれの羽根部に固定された保持体固定部に固定されている。保持体の一例は、ワイヤーである。保持体固定部の一例は、羽根部４の上面から上方へ突出した突起である。保持体は、一方側の端部が隣り合う羽根部において、回転方向における上流側の羽根部の保持体固定部に固定され、他方側の端部が隣り合う羽根部において、回転方向における下流側の羽根部の保持体固定部に固定されている。羽根部４は回転方向における前方側が回転方向における後方側より上方に配置され、保持体固定部は羽根部４の上面に配置されたものである。なお、複数の保持体は、第１の保持体６ａと、第２の保持体６ｂと、第３の保持体６ｃであり、複数の保持体固定部は、第１の保持体固定部７ａと、第２の保持体固定部７ｂと、第３の保持体固定部７ｃである。
【００１８】
具体的には、第１の羽根部４ａの上面には、第１の保持体固定部７ａが固定され、第２の羽根部４ｂの上面には、第２の保持体固定部７ｂが固定され、第３の羽根部４ｃの上面には、第３の保持体固定部７ｃが固定されている。
【００１９】
第１の保持体６ａの一方側の端部が第１の保持体固定部７ａに固定され、第１の保持体６ａの他方側の端部が第２の保持体固定部７ｂに固定されている。第２の保持体６ｂの一方側の端部が第２の保持体固定部７ｂに固定され、第２の保持体６ｂの他方側の端部が第３の保持体固定部７ｃに固定されている。第３の保持体６ｃの一方側の端部が第３の保持体固定部７ｃに固定され、第３の保持体６ｃの他方側の端部が第１の保持体固定部７ａに固定されている。
【００２０】
なお、第１の羽根部４ａは、第１の羽根部４ａの短手方向において、回転方向に対して後方側の端縁よりも前方側の端縁が高くなる傾斜形状となっている。第２の羽根部４ｂは、第２の羽根部４ｂの短手方向において、回転方向に対して後方側の端縁よりも前方側の端縁が高くなる傾斜形状となっている。第３の羽根部４ｃは、第３の羽根部４ｃの短手方向において、回転方向に対して後方側の端縁よりも前方側の端縁が高くなる傾斜形状となっている。
【００２１】
これにより、支持部３ａが回転すると、第１の羽根部４ａと第２の羽根部４ｂと第３の羽根部４ｃにおける下面に沿って主に空気が流れる。第１の保持体固定部７ａと第２の保持体固定部７ｂと第３の保持体固定部７ｃとは、それぞれ第１の羽根部４ａと第２の羽根部４ｂと第３の羽根部４ｃの上面に設けられているので、第１の保持体固定部７ａと第２の保持体固定部７ｂと第３の保持体固定部７ｃで空気の流れが妨げられにくいので、第１の保持体固定部７ａと第２の保持体固定部７ｂと第３の保持体固定部７ｃで発生する風切り音を抑え、送風量の低減を抑制できる。
【００２２】
また、保持体固定部は、羽根部の根元から先端に向かって３/５から４/５の領域に配置されたものである。具体的には、第１の保持体固定部７ａは、第１の羽根部４ａの根元から先端に向かって３/５から４/５の領域に配置されたものである。同様に、第２の保持体固定部７ｂは、第２の羽根部４ｂの根元から先端に向かって３/５から４/５の領域に配置されたものであり、第３の保持体固定部７ｃは、第３の羽根部４ｃの根元から先端に向かって３/５から４/５の領域に配置されたものである。
【００２３】
これにより、保持体固定部が羽根部の先端部に配置された場合に比べて、保持体固定部が羽根部の根元から先端に向かって３/５から４/５の領域に配置されると保持体固定部の回転速度が小さくなるので、保持体固定部で発生する風切り音を抑制できる。
【００２４】
更には、保持体固定部が羽根部の根元から先端に向かって３/５までの領域に配置された場合に比べて、保持体固定部が羽根部の根元から先端に向かって３/５から４/５の領域に配置されると複数の羽根部に重力や遠心力と言った外力が作用しても羽根部の変形の抑制効果が増すので、羽根部の強度や送風量の低下を軽減することができる。
【００２５】
また、保持体固定部は、羽根部の回転方向における羽根部の前方側寄りに配置されたものである。
【００２６】
具体的には、第１の羽根部４ａは、第１の羽根部４ａの短手方向において、回転方向に対して後方側の端縁よりも前方側の端縁が高くなる傾斜形状となっている。この高くなっている前方側寄りに第１の保持体固定部７ａが配置されている。
【００２７】
同様に、第２の羽根部４ｂは、第２の羽根部４ｂの短手方向において、回転方向に対して後方側の端縁よりも前方側の端縁が高くなる傾斜形状となっている。この高くなっている前方側寄りに第２の保持体固定部７ｂが配置されている。
【００２８】
同様に、第３の羽根部４ｃは、第３の羽根部４ｃの短手方向において、回転方向に対して後方側の端縁よりも前方側の端縁が高くなる傾斜形状となっている。この高くなっている前方側寄りに第３の保持体固定部７ｃが配置されている。
【００２９】
これにより、それぞれの羽根部における回転方向に対して後方側の端縁よりも高くなる前方側寄りに、それぞれの保持体固定部が配置されているので、複数の羽根部４に重力や遠心力と言った外力によって、羽根部における回転方向に対して前方側の端縁が、下方に変形することを抑制できる。結果として、複数の羽根部に重力や遠心力と言った外力が作用しても羽根部の変形を抑制することができ、羽根部の強度や送風量の低下を軽減することができる。
【産業上の利用可能性】
【００３０】
本発明は家庭用や事務所用などの天井扇風機として有用である。
【符号の説明】
【００３１】
１    天井扇風機
２    連結部
３    モータ部
３ａ    支持部
４ａ    第１の羽根部
４ｂ    第２の羽根部
４ｃ    第３の羽根部
５    天井
６ａ    第１の保持体
６ｂ    第２の保持体
６ｃ    第３の保持体
７ａ    第１の保持体固定部
７ｂ    第２の保持体固定部
７ｃ    第３の保持体固定部
【図１】
2019143560.tif 000003
【図２】
2019143560.tif 000004